(57)【要約】      （修正有）【課題】外出時に化粧ポーチ等に常時格納して携帯でききる小型サイズの携帯用歯ミガキセットを提供する。【解決手段】ハミガキ類を収納する収納容器兼コップ３を、内側壁に連結締め用へこみを設けて作る。歯ブラシ本体２を装着するための歯ブラシ装着用へこみ穴と、収納容器兼コップに収納するためや逆向けに装着するための連結締め用突起を設けた歯ブラシ固定具を作る。かつその歯ブラシ装着用へこみ穴は歯ブラシ本体の着脱が可能な構造とする。収納容器兼コップに、歯ブラシ本体を付けたままの歯ブラシ固定具とハミガキを収納、携帯し、歯ミガキ時は歯ブラシ付きの歯ブラシ固定具を取り出して、そのままの状態の形でつまみ突起２１のある部分から装着して、収納容器兼コップを握り手部分として歯ミガキをする。その後、収納容器兼コップで嗽をする。以上の形態で、小型サイズ化したコップ兼用携帯歯ミガキセットを作成する。【選択図】図１５
2019122815.tif 000002
【特許請求の範囲】
【請求項１】
ハミガキ類を収納する容器が、歯ミガキ時は握り手部分となり、嗽をする時はコップとして使用できる機能を持つ。歯ブラシを固定した器具が、そのままの状態で携帯容器に収納でき、取り出して歯ミガキする時には握り手部分の強度補強の機能となり、必要時には歯ブラシの取り替えができるように着脱可能な構造を持つ。以上の機能を持つ小型サイズのコップ兼用携帯歯ミガキセットの製造方法。
つまり具体的には、
（イ）収納空間（６）とその内側壁に連結締め用へこみ（７）を設けた収納容器兼コップ（３）の形態。
（ロ）握り手部分を相当程度短かく設計した歯ブラシ本体（２）の形態。
（ハ）歯ブラシ本体（２）を装着、固定した状態で、容器に収納したり装着して使用するために、歯ブラシ固定具（４）に収納空間（６）と歯ブラシ装着用へこみ穴（１２）と連結締め用突起（１３）を設け、かつ歯ブラシ装着用へこみ穴（１２）は歯ブラシ本体（２）の取り替えができるように着脱が可能な構造とする。
以上の機能を持つ小型サイズのコップ兼用携帯歯ミガキセットの形態と方法。
【発明の詳細な説明】
【技術分野】
【０００１】  外出時に使用する携帯用の歯ミガキセットに関するものである。
【背景技術】
【０００２】  現在、歯ブラシとハミガキを収納したトラベル用品等の携帯セットや歯ブラシケースは市場で多く販売されている。通常のコップとして使用できる容器に、歯ブラシとハミガキを収納する歯ミガキセットも市販されている。しかしこれらは形態や色彩をおしゃれに工夫はされているが、キッズ向けが中心で収納するコップ本体のサイズが大きすぎて化粧ポーチ等に手軽に格納できない。つまり外出時に化粧ポーチ等に常時格納できて、マイコップとしても使用できる小型サイズの携帯用歯ミガキセットがない。
【発明の概要】
【発明が解決しようとする課題】
【０００４】  これまでは次のような欠点があった。
（イ）トラベルセット等の携帯歯ミガキセットには、コップ機能がないため旅館、ホテル以外では、不特定多数の人が使用しているコップを使わざるを得ない。そのため不衛生で不快感が大きい。
（ロ）従来のコップ付き、あるいはコップ機能のある歯ミガキ携帯セットは、マイコップとして清潔感があり快適である。しかし通常のコップサイズ、又はコップ併用であるが全体のサイズが大きいため、化粧ポーチ等に常時格納して携帯することができない。
【課題を解決するための手段】
【０００５】  円柱状の収納容器兼コップ（３）を作成する。約２ミリの外枠の内部空洞は、ハミガキ（１）、歯ブラシ本体（２）、歯ブラシ固定具（４）を収納する収納空間（６）とする。開放口（５）から内部へ３センチの間が歯ブラシ固定具（４）を収める部分で、歯ブラシ固定具（４）を安定装着させるために、内側壁に連結締め用へこみ（７）を設ける。収納容器兼コップ（３）の開放口（５）のサイズに合った大きさで、円柱状の歯ブラシ固定具（４）を作成する。この内部の約６０％を収納空間（６）とし、残り４０％部分は歯ブラシ本体（２）を差し込んで固定させる部分として、外面側に向けて一部開放している歯ブラシ装着用へこみ穴（１２）を設置する。歯ブラシ固定具（４）の外側表面の両サイド２箇所に、収納容器兼コップ（３）に装着、固定させるための連結締め用突起（１３）を設ける。歯ブラシ本体（２）の構成、形態は、市販の物とほぼ同様で良いが、本事案では全体の長さを１２センチとし手元部分を短かく設定して作成する。ハミガキ（１）は市販されている２２グラムと２５グラム（サンスター株式会社製販）を標準使用として、本事案では収納容器兼コップ（３）を設計している。このコップ兼用携帯歯ミガキセットの使用形態を略記する。携帯時の状態につき記述する。収納容器兼コップ（３）の収納空間（６）にハミガキ（１）及び歯ブラシ本体（２）を差し込み済の歯ブラシ固定具（４）を収納している。歯ブラシ固定具（４）は連結締め用突起（１３）を連結締め用へこみ（７）に沿って合わせて格納し、背面側のつまみ突起（２１）を少し回転させて合体、固定させている。使用時はつまみ突起（２１）を少し回転させて、歯ブラシ付きの歯ブラシ固定具（４）とハミガキ（１）を収納容器兼コップ（３）から取り出す。取り出した後に、歯ブラシ付きの歯ブラシ固定具（４）のつまみ突起（２１）のある部分を、連結締め用へこみ（７）に沿って収納容器兼コップ（３）の開放口（５）から３センチ程度格納して固定させる。これにより歯ブラシ本体（２）の先端部９センチ部分が歯ブラシ使用範囲となり、円柱形の収納容器兼コップ（３）部分が握り手対応範囲となる。歯ミガキ終了後は、収納容器兼コップ（３）を取り外してコップとして使用し、口腔内を嗽して清潔にする。
【発明の効果】
【０００６】  （イ）小型サイズにしているので、化粧ポーチ等で外出時には常時携帯が可能。
（ロ）収納容器をマイコップとして使用できるため、安心して嗽できて快適である。
【図面の簡単な説明】
【０００７】
【図１】  収納容器兼コップの平面図
【図２】  収納容器兼コップのＡ−Ａ断面図
【図３】  歯ブラシ付き歯ブラシ固定具の平面図
【図４】  歯ブラシ付き歯ブラシ固定具のＡ−Ａ断面図
【図５】  収納容器兼コップに歯ブラシ付き歯ブラシ固定具を格納した平面図
【図６】  収納容器兼コップに歯ブラシ付き歯ブラシ固定具を格納したＡ−Ａ断面図
【図７】  収納容器兼コップの正面図
【図８】  収納容器兼コップの背面図
【図９】  歯ブラシ固定具の背面図
【図１０】  歯ブラシ固定具の正面図
【図１１】  歯ブラシ固定具の斜視図
【図１２】  歯ブラシ本体の左側面図
【図１３】  歯ブラシ本体の平面図
【図１４】  ハミガキ
【図１５】  収納容器兼コップに歯ブラシ付歯ブラシ固定具を差し込んだ平面図（２分の１縮小）
【図１６】  小型化したコップ兼用携帯歯ミガキセットの参考断面図（現寸大）
【発明を実施するための形態】
【０００８】  本事案は市販されているハミガキ（１）の内、２２グラムと２５グラム（サンスター株式会社製販）を標準使用として、そのコップ兼用携帯歯ミガキセットの実施形態につき記述する。最後尾で補記しているが、ハミガキ（１）のグラム数と容器サイズを小さくすれは、歯ブラシ本体（２）の短縮化、及び円柱状の収納容器兼コップ（３）の外周直径をかなり縮小できるので、化粧ポーチ等に格納が一段と楽でかつ使い勝手の良い携帯歯ブラシセットが作成できる。本件は円柱状の収納容器兼コップ（３）、円柱状の歯ブラシ固定具（４）、歯ブラシ本体（２）、ハミガキ（１）の４点で構成される。円柱状の収納容器兼コップ（３）を作成する。外周直径は４０ミリ、長さは１３０ミリとする。内径は開方口（５）から３０ミリの間は３４ミリ、そこから奥底までは３６ミリとし、底の厚みは３ミリとする。つまり円柱の中の収納空間（６）を造る外枠の厚みは、開放口（５）から３０ミリの間は３ミリ、そこから奥底までは２ミリとなる。開放口（５）から奥行３０ミリの部分が携帯時は歯ブラシ付きの歯ブラシ固定具（４）を収納し、歯ミガキ使用時は歯ブラシ付き歯ブラシ固定具（４）を差し込んで固定する箇所となる。左右２箇所に相対称で、歯ブラシ固定具（４）を安定装着するために、内側壁に連結締め用へこみ（７）を設ける。位置１（８）から１５ミリの位置２（９）を起点にして、厚みは１ミリ、幅は４ミリ、長さは１７ミリで、先端は幅４ミリで長さ１０ミリの直角でまがる鉤型の連結締め用へこみ（７）とする。ただしこの２箇所の直角にまがる方向はそれぞれ逆方向で設置する。収納容器兼コップ（３）の開放口（５）のサイズに合わせて、円柱状の歯ブラシ固定具（４）を作る。外周直径は３４ミリ、長さは３０ミリの大きさで、位置３（１０）から２１ミリの位置４（１１）までは外周枠の厚み２ミリで囲んだ収納空間（６）とし、奥底の厚みは３ミリとする。歯ブラシ本体（２）を差し込んで固定させる構造として、位置４（１１）の上部に外面側が一部開放されている歯ブラシ装着用へこみ穴（１２）を設置する。位置４（１１）の上部３ミリの箇所に幅１４ミリ、高さ８ミリ、長さ２５ミリの空洞を設ける。この空洞の上面側の外周幅２ミリ部分を開放幅９ミリで切り開けて設けて、歯ブラシ本体（２）の出し入れに弾力性を持たす。収納容器兼コップ（３）に歯ブラシ付の歯ブラシ固定具（４）を差し込む際に着脱を楽にして、かつ安定的に固定させるために、外面側の２箇所に連結締め用突起（１３）を設置する。これは左右対称の２箇所に幅４ミリ、長さ４ミリ、高さ１ミリのサイズで、歯ブラシ本体（２）の差し込み口から１３ミリの位置５（１４）を起点にして設ける。歯ブラシ固定具（４）の背面部中央に、長さ２０ミリ、幅６ミリ、高さ１０ミリのつまみ突起（２１）を設ける。歯ブラシ固定具（４）の連結締め用突起（１３）を収納容器兼コップ（３）の連結締め用へこみ（７）に装着時や取り外す時に、このつまみ突起（２１）を使用して固定させるためである。収納容器兼コップ（３）と歯ブラシ固定具（４）の素材は一般使用のＰＳ樹脂で良い。歯ブラシ本体（２）は一般に市販されている物で手元を短かくした物で良い。歯ブラシ本体（２）の全体の長���は１２０ミリで、その先端から３０ミリの距離の位置６（１５）までの厚みは３ミリ、位置６（１５）から５５ミリ先の位置７（１６）の２ミリ下の地点にかけて傾斜状に厚さは６ミリとなる。ここまでは平たい上面とする。位置７（１６）から位置８（１７）までの３５ミリの間は、歯ブラシ装着用へこみ穴（１２）の形状に合うように、かまぼこ型の盛り上り形状とする。つまり両サイド横端の厚みは６ミリで、横幅中央の位置９（１８）で厚み８ミリまで盛り上っているかまぼこ型の形状で設ける。歯ブラシ本体（２）の横幅につき記述する。先端部の２５ミリは幅１２ミリ、先端より３５ミリの位置１０（１９）でくびれを設け、先端より６０ミリの位置１１（２０）から最後尾までを幅１４ミリで作成する。先端部１８ミリの範囲でブラシ部分を設ける。この仕様は、概ね市販の歯ブラシのガムデンタルブラシ１６６エム（サンスター株式会社製販）の握り手部分を５３ミリ切り離した物で適合できる。ハミガキ（１）は市販のトラベルセット分で良い。たとえば、ガムデンタルベースト２２グラム、ガムデンタルベースト２５グラム（サンスター株式会社製販）を使用できる。市販の１７グラムのハミガキ（サンスター株式会社製販分）を使用すれば、その他の仕様は全く同一で、円柱状の収納容器兼コップ（３）の外周直径を３５ミリに縮小できて見た目も更に細くなる。図面１６は、収納容器兼コップ（３）の外周直径を３０ミリ、長さ１００ミリとし、かつ歯ブラシ本体（２）の長さを９２ミリと短かくして、全体を一層小型サイズにした現寸大の図面である。この仕様で出来る収納空間（６）に適合するグラム数、形のハミガキ（１）を作成すれば、一段と常時携帯に便利な歯ミ  歯ミガキ  ガキセットが可能である。
【符号の説明】
【０００９】１  ハミガキ
２  歯ブラシ本体
３  収納容器兼コップ
４  歯ブラシ固定具
５  開放口
６  収納空間
７  連結締め用へこみ
８  位置１
９  位置２
１０  位置３
１１  位置４
１２  歯ブラシ装着用へこみ穴
１３  連結締め用突起
１４  位置５
１５  位置６
１６  位置７
１７  位置８
１８  位置９
１９  位置１０
２０  位置１１
２１  つまみ突起
【図１】
2019122815.tif 000003
【図２】
2019122815.tif 000004
【図３】
2019122815.tif 000005
【図４】
2019122815.tif 000006
【図５】
2019122815.tif 000007
【図６】
2019122815.tif 000008
【図７】
2019122815.tif 000009
【図８】
2019122815.tif 000010
【図９】
2019122815.tif 000011
【図１０】
2019122815.tif 000012
【図１１】
2019122815.tif 000013
【図１２】
2019122815.tif 000014
【図１３】
2019122815.tif 000015
【図１４】
2019122815.tif 000016
【図１５】
2019122815.tif 000017
【図１６】
2019122815.tif 000018